(57)【特許請求の範囲】
【請求項１】
メガネのフロント部分に装着される照明装置であって、
第１のハウジング部と、
前記第１のハウジング部の前面に形成される照明部と、
前記第１のハウジング部の後方に離隔成される第２のハウジング部と、
前記第１のハウジング部の下部に突出して形成され、前記照明装置を前記メガネに装着させる第１の装着部と、
前記第２のハウジング部の下部に突出して形成され、前記第１の装着部と離隔され、前記照明装置を前記メガネに装着させる第２の装着部と、
前記第１のハウジング部と前記第２のハウジング部の間で前記第１のハウジング部と前記第２のハウジング部を連結し、前記離隔された第１の装着部及び第２の装着部が近接するように弾性力を提供する結合クリップと、を含む照明装置。
【請求項２】
前記結合クリップは、
前記第１のハウジング部の後面に結合される第１のクリップ部と、
前記第１のクリップ部の上端から下部に折り曲げられて形成され、前記第１のクリップ部と対応して形成され、前記第２のハウジング部の前面に結合される第２のクリップ部と、を含む請求項１に記載の照明装置。
【請求項３】
前記結合クリップは、
前記第１のクリップ部の下端から上部に切開されて形成される第１の切開部と、
前記第２のクリップ部の下端から上部に切開されて形成される第２の切開部と、をさらに含む請求項２に記載の照明装置。
【請求項４】
前記照明装置は、
前記第１のハウジング部及び前記第２のハウジング部のうちいずれかに備えられるメインボードと、
前記第１のハウジング部及び前記第２のハウジング部のうちの他方に備えられるバッテリと、
前記第１の切開部及び前記第２の切開部を通して前記結合クリップを通過して前記メインボードと前記バッテリを電気的に接続する導電線とをさらに含む請求項３に記載の照明装置。
【請求項５】
前記照明装置は、
前記第１のクリップ部が結合されるように、前記第１のハウジング部の後面に形成される第１のクリップ結合部と、
前記第２のクリップ部が結合されるように、前記第２のハウジング部の前面に形成される第２のクリップ結合部と、
前記第１の切開部と対応して形成され、前記導電線が通過するように、前記第１のクリップ結合部に形成される第１の溝と、
前記第２の切開部と対応して形成され、前記導電線が通過するように前記第２のクリップ結合部に形成される第２の溝とをさらに含む請求項４に記載の照明装置。
【請求項６】
前記第１のハウジング部の上端及び前記第２のハウジング部の上端に加えられる外圧に応じて前記結合クリップの弾性力が解除され、前記メガネから装着が解除される請求項１に記載の照明装置。
【請求項７】
前記照明装置は、
前記第１のハウジング部の後面で前記結合クリップの両側に形成される第１の補助結合部と、
前記第２のハウジング部の前面で前記結合クリップの両側に前記第１の補助結合部と対応して形成され、前記第１の補助結合部と結合する第２の補助結合部とをさらに含む請求項１に記載の照明装置。
【請求項８】
前記照明装置は、
前記第１のハウジング部の前面に形成される固定結合部と、
前記照明部の後面に形成され、前記固定結合部に第１の方向及び前記第１の方向と反対方向である第２の方向に回転可能に形成される回転結合部と、
前記照明部の後面に前記第１の方向に沿って形成され、凸部及び凹部が繰り返し形成される接点部と、
前記第１のハウジング部の前面に形成され、前記回転結合部の回転に応じて前記凹部に係止されて前記回転結合部を段階的に固定させる接点固定部と、をさらに含む請求項１に記載の照明装置。
【請求項９】
前記接点部は、前記照明部の発光素子と電気的に接続され、
前記接点固定部は、前記第１のハウジング部のメインボードと電気的に接続され、
前記接点部及び前記接点固定部は、導電性材料で構成される請求項８に記載の照明装置。
【請求項１０】
前記接点部は、前記照明部の後面で一側に第１の長さを有して形成される第１の接点部及び他側に第１の長さよりも短い長さである第２の長さを有して形成される第２の接点部を含み、
前記接点固定部は、前記第１の接点部の凹部に係止される第１の接点固定部及び前記第２の接点部の凹部に係止される第２の接点固定部を含む請求項９に記載の照明装置。
【請求項１１】
前記第１の接点部及び前記第２の接点部は、前記第１の方向と平行するように配置され、各上端が前記第１の方向と平行な軸の同じ位置に配置され、前記照明部が既に設定された角度以上に回転する場合、前記第２の接点部と前記第２の接点固定部間の電気的接続が解除される請求項１０に記載の照明装置。
【発明の詳細な説明】
【技術分野】
【０００１】
本発明は、メガネに装着して照明を提供する照明装置に関するものである。
【背景技術】
【０００２】
ユーザの頭に固定されてユーザの視野方向に照明を提供する装置としては、帽子に固定される照明装置、ヘアバンドに取付けられる照明装置などがある。
【０００３】
しかしながら、このような照明装置の場合は、ユーザが照明装置を使用するたびに帽子やバンドを着用しなければならないという欠点がある。
【０００４】
これを改善するためにメガネに固定する照明装置が開発されているが、メガネと一体型に構成されてメガネ自体を着用しなければならないという問題が依然として存在する。
【先行技術文献】
【特許文献】
【０００５】
【特許文献１】米国特許第６９７４２２６号公報（２００５．１２．１３）
【発明の概要】
【発明が解決しようとする課題】
【０００６】
本発明の目的は、メガネに着脱及び付着が可能な照明装置を提供することである。
【課題を解決するための手段】
【０００７】
本発明の一実施形態に係る照明装置は、メガネに装着する照明装置であって、第１のハウジング部、前記第１のハウジング部の前面に形成される照明部、第１のハウジング部の後方に離隔して形成される第２のハウジング部、前記第１のハウジング部の下部に突出して形成され、前記照明装置を前記メガネに装着させる第１の装着部、前記第２のハウジング部の下部に突出して形成され、前記第１の装着部と離隔され、前記照明装置を前記メガネに装着させる第２の装着部、及び前記第１のハウジング部と前記第２のハウジング部との間で前記第１のハウジング部と前記第２のハウジング部を連結し、前記離隔された第１の装着部及び第２の装着部が近接するように弾性力を提供する結合クリップを含む。
【０００８】
前記結合クリップは、前記第１のハウジング部の後面に結合される第１のクリップ部、及び前記第１のクリップ部の上端から下部に折り曲げられて形成され、前記第１のクリップ部と対応して形成され、前記第２のハウジング部の前面に結合される第２のクリップ部を含むことができる。
【０００９】
前記結合クリップは、第１のクリップ部の下端から上部に切開されて形成される第１の切開部、及び第２のクリップ部の下端から上部に切開されて形成される第２の切開部をさらに含むことができる。
【００１０】
前記照明装置は、前記第１のハウジング部及び前記第２のハウジング部のうちいずれかに備えられるメインボード、前記第１のハウジング部及び前記第２のハウジング部の他のうち一つに備えられるバッテリ、及び前記第１の切開部及び前記第２の切開部を通じて前記結合クリップを通過して前記メインボードと前記バッテリを電気的に接続する導電線をさらに含むことができる。
【００１１】
前記照明装置は、前記第１のクリップ部が結合されるように、前記第１のハウジング部の後面に形成される第１のクリップ結合部、前記第２のクリップ部に結合されるように、前記第２のハウジング部の前面に形成される第２のクリップ結合部、前記第１の切開部と対応して形成され前記導電線が通過するように、前記第１のクリップ結合部に形成される第１の溝、及び前記第２の切開部と対応して形成され前記導電線が通過するように、前記第２のクリップ結合部に形成される第２の溝をさらに含むことができる。
【００１２】
前記照明装置は、前記第１のハウジング部の上端及び前記第２のハウジング部の上端に加えられる外圧に応じて前記結合クリップの弾性力が解除されることにより、前記メガネから装着が解除される。
【００１３】
前記照明装置は、前記第１のハウジング部の後面で前記結合クリップの両側に形成される第１の補助結合部、及び前記第２のハウジング部の前面で前記結合クリップの両側に前記第１の補助結合部と対応して形成され、前記第１の補助結合部と結合する第２の補助結合部をさらに含むことができる。
【００１４】
前記照明装置は、前記第１のハウジング部の前面に形成される固定結合部、前記照明部の後面に形成され、前記固定結合部に第１の方向及び前記第１方向と反対方向である第２の方向に回転可能に形成される回転結合部、前記照明部の後面に前記第１の方向に沿って形成され、凸部及び凹部が繰り返し形成される接点部、及び前記第１のハウジング部の前面に形成され、前記回転結合部の回転に応じて前記凹部に係止されて前記回転結合部を段階的に固定させる接点固定部をさらに含むことができる。
【００１５】
前記接点部は、前記照明部の発光素子と電気的に接続され、前記接点固定部は、前記第１のハウジング部のメインボードと電気的に接続され、前記接点部及び前記接点固定部は、導電性材料で構成することができる。
【００１６】
前記接点部は、前記照明部の後面で一側に第１の長さを有して形成される第１の接点部及び他側に第１の長さよりも短い長さである第２の長さを有して形成される第２の接点部を含み、前記接点固定部は、第１の接点部の凹部に係止される第１の接点固定部及び前記第２の接点部の凹部に係止される第２の接点固定部を含むことができる。
【００１７】
前記第１の接点部及び前記第２の接点部は、前記第１の方向と平行するように配置され、各上端が前記第１の方向と平行な軸の同じ位置に配置され、前記照明部が既に設定された角度以上に回転する場合、第２の接点部と前記第２の接点固定部間の電気的接続が解除される。
【発明の効果】
【００１８】
本発明の実施形態によると、結合クリップの弾性力を利用してメガネに着脱及び付着が可能な照明装置を提供することができる。
【００１９】
なお、本発明の実施形態によると、照明部の回転角度の調節により照明装置のオン/オフの制御が可能な照明装置を提供することができる。
【図面の簡単な説明】
【００２０】
【図１】本発明の一実施形態に係るメガネ装着式照明装置の斜視図である。
【図２】本発明の一実施形態に係るメガネ装着式照明装置の断面図である。
【図３】本発明の一実施形態に係る結合クリップの斜視図である。
【図４】本発明の一実施形態に係る第１のハウジング部、第２のハウジング部及び結合クリップ間の結合関係を示すための図である。
【図５】本発明の一実施形態に係る第１のハウジング部及び照明部の結合関係を示すための図である。
【図６】本発明の一実施形態に係る照明装置の実際の使用例を示すための図である。
【発明を実施するための形態】
【００２１】
以下、添付の図面を参照して本発明の望ましい実施形態を詳しく説明するが、本発明はこれらの実施形態により限定されるものではない。
【００２２】
図１は、本発明の一実施形態によるメガネ装着式照明装置の斜視図であって、図１の（ａ）は、照明装置１０を前方から見た斜視図であり、図１の（ｂ）は、照明装置１０を後方から見た斜視図である。また、図２は、図１での照明装置１０をＡ-Ａ'線で切って矢印方向に見た本発明の一実施形態に係るメガネ装着式照明装置の断面図である。
【００２３】
図１及び図２を参照すると、本発明の一実施形態に係るメガネ装着式照明装置１０は、第１のハウジング部１００、第２のハウジング部２００、照明部３００、第１の装着部４００、第２の装着部５００及び結合クリップ６００を含む。
【００２４】
第１のハウジング部１００は、内部に一定の空間を含んで形成することができる。具体的に、第１のハウジング部１００は、例えば、角が丸い六面体形状を有する外部枠である。ただし、これは、本発明の説明のための一例であり、第１のハウジング部１００は、六面体形状の以外の他の形状に形成することができる。
【００２５】
また、第１のハウジング部１００は、表面に照明装置１０の電源を制御することができる電源ボタン１０１を含むことができる。具体的に、ユーザは、第１のハウジング部１００の表面に位置する電源ボタン１０１で照明のオン/オフ（on/off）を制御することができる。
【００２６】
また、第１のハウジング部１００は、表面に照明装置１０の残りバッテリを表示することができるバッテリ表示部１０２を含むことができる。この際、バッテリ表示部１０２は、例えば、ＬＥＤのような照明装置である。具体的に、バッテリ表示部１０２は、複数の照明装置で構成され、残りのバッテリ量と比例する個数の照明装置をオン（on）にして残りバッテリを表示することができる。
【００２７】
また、図示してはいないが、第１のハウジング部１００は、表面に照明装置１０の照明の明るさを調節することができる照明調節部を含むことができる。この際、照明調節部は、例えば、第１のハウジング部１００の左右側面に設置されるタッチスクリーン（touch screen）であってもよい。具体的に、ユーザは、照明調節部をタッチして照明の明るさを段階的に向上させることができる。また、照明装置１０の照明の明るさが最も明るい段階である場合、ユーザは照明調節部をタッチして照明の明るさを最も暗い段階に調節することができる。
【００２８】
第２のハウジング部２００は、第１のハウジング部１００の後方に離隔して形成される。具体的に、第２のハウジング部２００は、例えば、角が丸い六面体形状を有し、内部に一定の空間を含む外部枠である。ただし、これは、本発明の説明のための一例であり、第２のハウジング部２００は、六面体形状の以外の他の形状に形成することができる。
【００２９】
照明部３００は、第１のハウジング部１００の前面に形成される。具体的に、照明部３００は、第１のハウジング部１００の前面に円筒状に形成することができる。ただし、これは、本発明の説明のための一例であり、照明部３００は、円筒状の以外の他の形状に形成することができる。
【００３０】
また、照明部３００は、例えば、上下に回転可能に第１のハウジング部１００に結合される。ただし、照明部３００の上下回転は一例であり、他の方向に回転するように結合することができ、照明部３００と第１のハウジング部１００間の結合については図５に詳細に説明する。
【００３１】
また、照明部３００は、例えば、発光ダイオード（Light Emitting Diode;ＬＥＤ）のような発光素子を含み、照明部３００の前方に照明を提供することができる。具体的に、照明部３００は、照明装置１０に含まれたバッテリから電力が供給されて前方に照明を提供することができる。
【００３２】
第１の装着部４００は、第１のハウジング部１００の下部に突出して形成され、照明装置１０をメガネ（図示せず）に装着させる役割をする。具体的に、第１の装着部４００は、第１のハウジング部１００の下部に互いに離隔して突出形成される第１-１の装着部４０１及び第１-２の装着部４０２を含むことができる。ただし、これは、本発明の説明のための一例であり、第１の装着部４００は、左右に長く形成された一つの装着部のみを含むか、或いはその他の形状に形成することができる。
【００３３】
第２の装着部５００は、第２のハウジング部２００の下部に突出して形成され、第１の装着部４００と離隔され、照明装置１０をメガネに装着させる役割をする。具体的に、第２の装着部５００は、第２のハウジング部２００の下部に互いに離隔して突出形成される第２-１の装着部５０１及び第２-２の装着部５０２を含むことができる。この際、第２-１の装着部５０１は、第１-１の装着部４０１と対応する位置に形成され、第２-２の装着部５０２は、第１-２の装着部４０２と対応する位置に形成することができる。ただし、これは、本発明の説明のための一例であり、第２の装着部５００は、左右に長く形成された一つの装着部のみを含むか、或いはその他の形状に形成することができる。
【００３４】
一方、第１の装着部４００及び第２の装着部５００は、互いに離隔して形成され、結合クリップ６００から弾性力が提供されて近接することができる。この際、第１の装着部４００及び第２の装着部５００は、互いに対応する位置に形成されるので、第１の装着部４００及び第２の装着部５００の間にメガネを含むことにより、照明装置１０をメガネに装着させることができる。
【００３５】
結合クリップ６００は、第１のハウジング部１００と第２のハウジング部２００の間で第１のハウジング部１００と第２のハウジング部２００を連結し、離隔された第１の装着部４００及び第２の装着部５００が近接するように弾性力を提供する。具体的に、結合クリップ６００は、一端が第１のハウジング部１００と結合し、他端が第２のハウジング部２００と結合することにより、第１の装着部４００と第２の装着部５００を連結することができる。また、結合クリップ６００は、第１の装着部４００と第２の装着部５００を物理的に連結することにより、第１の装着部４００と第２の装着部５００間の電気的接続も誘導することができる。第１の装着部４００と第２の装着部５００間の電気的接続については、図５に詳細に説明する。
【００３６】
また、結合クリップ６００は、第１のハウジング部１００の下部及び第２のハウジング部２００の下部が近接するように弾性力を提供することができ、これにより、第１のハウジング部１００及び第２のハウジング部２００の下部にそれぞれ形成された第１の装着部４００及び第２の装着部５００が互いに近接するようにすることができる。
【００３７】
本発明の実施形態によると、結合クリップ６００の弾性力を利用してメガネ（図示せず）への着脱及び付着が可能な照明装置１０を提供することができる。
【００３８】
図３は、本発明の一実施形態に係る結合クリップの斜視図である。
【００３９】
図３を参照すると、本発明の一実施形態に係る結合クリップ６００は、第１のクリップ部６１０、第２のクリップ部６２０、第１の切開部６３０及び第２の切開部６４０を含むことができる。
【００４０】
第１のクリップ部６１０は、第１のハウジング部１００の後面に結合することができる。具体的に、第１のクリップ部６１０は、第１のハウジング部１００の後面に上端から下端に挿入して結合することができる。ただし、これは、本発明の説明のための一例であり、第１のクリップ部６１０は、他の形態でも第１のハウジング部１００の後面に結合することができる。
【００４１】
第１の切開部６３０は、第１のクリップ部６１０の下端から上部に切開して形成することができる。例えば、第１の切開部６３０は、第１のクリップ部６１０の中央下端から中央上部に、長方形の形状に切開して形成することができる。これにより、第１のクリップ部６１０は、第１の切開部６３０を挟んで一対の脚を有する形状に形成することができる。ただし、これは、本発明の説明のための一例であり、第１の切開部６３０は、他の形状にも形成することができる。
【００４２】
第２のクリップ部６２０は、第１のクリップ部６１０の上端から下部に折り曲げられて形成され、第１のクリップ部６１０と対応して形成され、第２のハウジング部２００の前面に結合することができる。具体的に、第２のクリップ部６２０は、第１のクリップ部６１０と平面対称に形成することができる。また、第２のクリップ部６２０は、第２のハウジング部２００の前面に上端から下端に挿入して結合することができる。ただし、これは、本発明の説明のための一例であり、第２のクリップ部６２０は、他の形態でも第２のハウジング部２００の前面に結合することができる。
【００４３】
第２の切開部６４０は、第２のクリップ部６２０の下端から上部に切開して形成することができる。具体的に、第２の切開部６４０は、第１の切開部６３０と平面対称に形成することができる。したがって、第２の切開部６４０は、第２のクリップ部６２０の中央下端から中央上部に、長方形の形状に切開して形成することができる。これにより、第２のクリップ部６２０は、第２の切開部６４０を挟んで一対の脚を有する形状に形成することができる。ただし、これは、本発明の説明のための一例であり、第２の切開部６４０は、他の形状にも形成することができる。
【００４４】
図４は、本発明の一実施形態に係る第１のハウジング部、第２のハウジング部及び結合クリップ間の結合関係を示すための図である。具体的に、図４の（ａ）は、第２のハウジング部２００を前方から見た図であり、図４の（ｂ）は、第１のハウジング部１００を後方から見た図である。
【００４５】
図４を参照すると、本発明の一実施形態に係る照明装置１０は、第１のクリップ結合部１１０、第２のクリップ結合部２１０、第１の溝１２０、第２の溝２２０、第１の補助結合部１３０及び第２の補助結合部２３０をさらに含むことができる。
【００４６】
また、図示してはいないが、本発明の一実施形態に係る照明装置１０は、メインボード、バッテリ及び導電線をさらに含むことができる。具体的に、メインボードは、照明部３００に含まれた発光素子を制御するためのものであり、第１のハウジング部１００及び第２のハウジング部２００のうちいずれかに備えることができる。
【００４７】
また、バッテリは、例えば、メインボード及び照明部３００のうち少なくとも一つに電源を提供するものであり、第１のハウジング部１００及び第２のハウジング部２００のうちの他方に備えることができる。
【００４８】
また、導電線は、例えば、第１の切開部６３０及び第２の切開部６４０を通じて結合クリップ６００を通過してメインボードとバッテリを電気的に接続するためのものである。
【００４９】
第１のクリップ結合部１１０は、第１のクリップ部６１０が結合されるように、第１のハウジング部１００の後面に形成することができる。具体的に、第１のクリップ結合部１１０は、第１のクリップ部６１０と対応する形状を有するように形成され、第１のクリップ部６１０が第１のハウジング部１００に挿入して結合されるように形成することができる。もし、第１のクリップ部６１０が一つの面形態で形成される場合、第１のクリップ結合部１１０は、第１のクリップ結合部１１０と第１のハウジング部１００との間に面形態を挿入できるように形成することができる。
【００５０】
第２のクリップ結合部２１０は、第２のクリップ部６２０が結合されるように、第２のハウジング部２００の前面に形成することができる。具体的に、第２のクリップ結合部２１０は、第２のクリップ部６２０と対応する形状を有するように形成され、第２のクリップ部６２０が第２のハウジング部２００に挿入して結合されるように形成することができる。もし、第２のクリップ部６２０が二つの脚の形態で形成される場合、第２のクリップ結合部２１０は、第２のクリップ結合部２１０と第２のハウジング部２００との間に脚形態を挿入できるように形成することができる。ただし、これは、本発明の説明のための一例であり、第１のクリップ結合部１１０及び第２のクリップ結合部２１０は、他の形態でも形成することができる。
【００５１】
第１の溝１２０は、第１の切開部６３０と対応して形成され、導電線が通過するように、第１のクリップ結合部１１０に形成することができる。具体的に、第１の溝１２０は、第１のクリップ結合部１１０の中央上端から中央下部に、第１の切開部６３０の形状と対応する形状に切開して形成することができる。例えば、第１の溝１２０は、第１のクリップ結合部１１０の中央上端から中央下部に、長方形の形状に形成することができる。
【００５２】
第２の溝２２０は、第２の切開部６４０と対応して形成され、導電線が通過するように、第２のクリップ結合部２１０に形成することができる。具体的に、第２の溝２２０は、第２のクリップ結合部２１０の中央上端から中央下部に、第２の切開部６４０の形状と対応する形状に切開して形成することができる。例えば、第２の溝２２０は、第２のクリップ結合部２１０の中央上端から中央下部に、長方形の形状に形成することができる。この場合、導電線は、第１の切開部６３０、第１の溝１２０、第２の溝２２０及び第２の切開部６４０を通過してメインボードとバッテリを電気的に接続することができる。ただし、上述した第１の溝１２０及び第２の溝２２０の形態は、発明の説明のための一例であり、第１の溝１２０及び第２の溝２２０は、他の形態でも形成することができる。
【００５３】
第１の補助結合部１３０は、第１のハウジング部１００の後面で結合クリップ６００の両側に形成することができる。具体的に、第１の補助結合部１３０は、左右に長い長方形の形状に突出して形成され、第１のクリップ結合部１１０の右上に形成される第１-１の補助結合部１３１を含むことができる。また、第１の補助結合部１３０は、第２-２の補助結合部２３２が挿入されるように、内部に長方形の空間を含んで突出形成され、第１のクリップ結合部１１０の左上に形成される第１-２の補助結合部１３２を含むことができる。また、第１の補助結合部１３０は、左右に長い長方形の形状に突出して形成され、第１のクリップ結合部１１０の左下に形成される第１-３の補助結合部１３３を含むことができる。また、第１の補助結合部１３０は、第２-４の補助結合部２３４が挿入されるように、内部に長方形の空間を含んで陥没形成され、第１のクリップ結合部１１０の右下に形成される第１-４の補助結合部１３４を含むことができる。ただし、これは、本発明の説明のための一例であり、第１の補助結合部１３０は、第１-１〜１-４の補助結合部１３１、１３２、１３３、１３４のうち一部のみを含むことができ、第１-１〜１-４補助結合部１３１、１３２、１３３、１３４は、他の位置に形成することができる。
【００５４】
第２の補助結合部２３０は、第２のハウジング部２００の前面で結合クリップ６００の両側に第１の補助結合部１３０と対応して形成され、第１の補助結合部１３０と結合することができる。具体的に、第２の補助結合部２３０は、第１-１の補助結合部１３１が挿入されるように、内部に長方形の空間を含んで突出形成され、第２のクリップ結合部２１０の左上に形成される第２-１の補助結合部２３１を含むことができる。また、第２の補助結合部２３０は、左右に長い長方形の形状に突出して形成され、第２のクリップ結合部２１０の右上に形成される第２-２の補助結合部２３２を含むことができる。また、第２の補助結合部２３０は、第１-３の補助結合部１３３が挿入されるように、内部に長方形の空間を含んで陥没形成され、第２のクリップ結合部２１０の右下に形成される第２-３の補助結合部２３３を含むことができる。また、第２の補助結合部２３０は、左右に長い長方形の形状に突出して形成され、第２のクリップ結合部２１０の左下に形成される第２-４の補助結合部２３４を含むことができる。ただし、これは、本発明の説明のための一例であり、第２の補助結合部２３０は、第２-１〜２-４の補助結合部２３１、２３２、２３３、２３４のうち一部のみを含むことができ、第２-１〜２-４の補助結合部２３１、２３２、２３３、２３４は、他の位置に形成することができる。
【００５５】
本発明の実施形態によると、第１の補助結合部１３０及び第１の補助結合部１３０に対応する第２の補助結合部２３０が互いに結合することによって、結合クリップ６００の左右回転を防止することができる。また、本発明の一実施形態によると、第１の補助結合部１３０及び第２の補助結合部２３０は、互いに結合するために含む空間を長方形の形状に形成することにより、照明装置１０の左右回転または歪みを効率的に防止することができる。
【００５６】
一方、照明装置１０は、第１のハウジング部１００の上端及び第２のハウジング部２００の上端に加えられる外圧に応じて結合クリップ６００の弾性力が解除されることにより、メガネから装着が解除される。具体的に、第１のハウジング部１００の上端及び第２のハウジング部２００の上端に外圧が加えられる場合、結合クリップ６００の弾性力が解除され、第１のハウジング部１００の下端及び第２のハウジング部２００の下端は互いに遠ざかる。これにより、第１のハウジング部１００の下端に突出して形成された第１の装着部４００及び第２のハウジング部２００の下部に突出して形成された第２の装着部５００も互いに遠ざかり、照明装置１０とメガネ間の装着が解除される。
【００５７】
図５は、本発明の一実施形態に係る第１のハウジング部及び照明部の結合関係を示すための図である。
【００５８】
図５を参照すると、本発明の一実施形態に係る照明装置１０は、固定結合部１４０、回転結合部３４０、接点部３５０及び接点固定部１５０をさらに含むことができる。
【００５９】
固定結合部１４０は、第１のハウジング部１００の前面に形成することができ、回転結合部３４０は、照明部３００の後面に形成され、固定結合部１４０に第１の方向及び第１の方向と反対方向である第２方向に回転可能に形成することができる。
【００６０】
具体的に、照明部３００は、後面に円形に突出して形成される突出部３０１を含むことができ、回転結合部３４０は、突出部３０１の両側面に円形に突出して形成することができる。この際、第１のハウジング部１００は、前面に突出部３０１を含むことができる内部溝１０３を含むことができ、固定結合部１４０は、内部溝１０３の両側面に回転結合部３４０と結合するように円形に陥没して形成することができる。この際、第１の方向は上側方向であることができ、これにより、第２の方向は下側方向である。ただし、これは、一例であり、第１の方向は、上方向の以外の他の方向であっても良い。
【００６１】
接点部３５０は、照明部３００の後面に第２の方向に沿って形成され、凸部及び凹部を繰り返し形成することができる。この際、凸部は、例えば、第１のハウジング部１００側に突出して形成される部分であり、凹部は、例えば、照明部３００側に陥没して形成される部分である。具体的に、接点部３５０は、照明部３００の後面で一側に上下方向に形成することができる。また、接点部３５０は、例えば、第１のハウジング部１００方向に突出した凸部及び照明部３００方向に陥没した凹部が繰り返し形成される凹凸形状である。
【００６２】
接点固定部１５０は、第１のハウジング部１００の前面に形成され、回転結合部３４０の回転に応じて凹部に係止されて回転結合部３４０を段階的に固定させることができる。具体的に、接点固定部１５０は、第１のハウジング部１００の前方に弾性力を有して突出形成されて凹部に係止することができる。
【００６３】
一方、接点部３５０は、照明部３００の発光素子と電気的に接続することができ、接点固定部１５０は、第１のハウジング１００のメインボードと電気的に接続することができる。また、接点部３５０及び接点固定部１５０は、導電性材料で構成することができる。この際、接点固定部１５０が接点部３５０に係止されることにより、接点部３５０及び接点固定部１５０は電気的に接続することができる。また、照明部３００の発光素子は、接点部３５０及び接点固定部１５０を通じて第１のハウジング１００のメインボードと電気的に接続することができる。
【００６４】
一方、接点部３５０は、照明部３００の後面で一側に第１の長さを有して形成される第１の接点部３５１及び他側に第１の長さよりも短い長さである第２の長さを有して形成される第２の接点部３５２を含むことができ、接点固定部１５０は、第１の接点部３５１の凹部に係止される第１の接点固定部１５１及び第２の接点部３５２の凹部に係止される第２の接点固定部１５２を含むことができる。
【００６５】
この際、第１の接点固定部１５１と第１の接点部３５１間の係止及び第２の接点固定部１５２と第２の接点固定部３５２間の係止のうち少なくとも一つの係止が発生する場合、回転結合部３４０は段階的に固定することができる。
【００６６】
一方、第１の接点部３５１及び第２の接点部３５２は、第１の方向と平行するように配置され、上端が第１の方向と平行な軸の同じ位置に配置することができる。また、照明部３００が既に設定された角度以上に回転する場合、第２の接点部３５２と第２の接点固定部１５２間の電気的接続が解除される。
【００６７】
具体的に、第１の接点部３５１の上端及び第２の接点部３５２の上端は、第１の方向と平行な軸に対して同じ位置に形成されるが、第１の接点部３５１の下端は、第２の接点部３５２の下端よりも第１の方向と平行な軸に対して第１の長さと第２の長さの差だけ下方に形成される。また、この際、第１の接点固定部１５１及び第２の接点固定部１５２は、第１の方向と平行な軸に対して同じ位置に形成される。したがって、もし照明部３００が既に設定された角度以上に回転する場合、第２の接点固定部１５２は、第２の接点部３５２の下端よりも下方に位置して第２の接点部３５２と第２の接点固定部１５２間の電気的接続が解除される。これにより、照明部３００に提供される電源が遮断され、照明部３００に含まれる発光素子は電源がオフ（off）になる。
【００６８】
図６は、本発明の一実施形態に係る照明装置の実際の使用例を示すための図である。図６を参照すると、本発明の一実施形態に係る照明装置１０は、結合クリップの弾性力を利用してメガネの上端に着脱及び付着し、前方に照明を提供することができる。
【符号の説明】
【００６９】
１０                照明装置
１００              第１のハウジング部
１０１              電源ボタン
１０２              バッテリ表示部
１０３              内部溝
１１０              第１のクリップ結合部
１２０              第１の溝
１３０、１３１、１３２、１３３、１３４      第１の補助結合部
１４０              固定結合部
１５０、１５１、１５２        接点固定部
２００              第２のハウジング部
２１０              第２のクリップ結合部
２２０              第２の溝
２３０、２３１、２３２、２３３、２３４      第２の補助結合部
３００              照明部
３０１              突出部
３４０              回転結合部
３５０、３５１、３５２      接点部
４００、４０１、４０２      第１の装着部
５００、５０１、５０２      第２の装着部
６００              結合クリップ
６１０              第１のクリップ部
６２０              第２のクリップ部
６３０              第１の切開部
６４０              第２の切開部
【図１（ａ）】
0006804119.tif 000002
【図１（ｂ）】
0006804119.tif 000003
【図２】
0006804119.tif 000004
【図３】
0006804119.tif 000005
【図４（ａ）】
0006804119.tif 000006
【図４（ｂ）】
0006804119.tif 000007
【図５（ａ）】
0006804119.tif 000008
【図５（ｂ）】
0006804119.tif 000009
【図６】
0006804119.tif 000010